(57)【特許請求の範囲】
【請求項１】
ユーザが所有するゲームオブジェクトを記憶する記憶部と、
前記ユーザにより指定された合成元となる合成元ゲームオブジェクトと、該合成元ゲームオブジェクトと合成可能な素材ゲームオブジェクトとの第１合成を行う合成部と、
前記合成部により行われた第１合成において所定条件を満たす場合、合成元ゲームオブジェクトと、前記ユーザに新たに付与された、該合成元ゲームオブジェクトと合成可能な素材ゲームオブジェクトとの第２合成に関する設定を行う設定画面を表示させる表示制御部と、
を有する情報処理装置。
【請求項２】
前記表示制御部は、前記合成部により行われた第１合成において、素材ゲームオブジェクトに、合成元ゲームオブジェクトごとに設定される特定ゲームオブジェクトが含まれていた場合、前記設定画面を表示させる、
請求項１に記載の情報処理装置。
【請求項３】
前記表示制御部は、更に、前記特定ゲームオブジェクトが、前記ユーザがプレイ可能な特定のイベントで入手可能である場合、前記設定画面を表示させる、
請求項２に記載の情報処理装置。
【請求項４】
前記表示制御部は、前記合成部により行われた第１合成において、合成元ゲームオブジェクトの複数のパラメータのうち合成により値が増加する特定パラメータの値が増加した場合、前記設定画面を表示させる、
請求項１〜３のいずれか一項に記載の情報処理装置。
【請求項５】
前記表示制御部は、前記合成部により行われた第１合成において、合成元ゲームオブジェクトの複数のパラメータのうち合成により値が増加する特定パラメータを所定値にするまでに必要な素材ゲームオブジェクトの数が、前記記憶部において前記ゲームオブジェクトを格納可能な空き領域数よりも大きい場合、前記設定画面を表示させる、
請求項１〜４のいずれか一項に記載の情報処理装置。
【請求項６】
前記表示制御部は、前記合成部により行われた第１合成において、合成元ゲームオブジェクトが、該合成元ゲームオブジェクトと同一グループに属する他のゲームオブジェクトに遷移した場合に、前記設定画面を表示させる、
請求項１〜５のいずれか一項に記載の情報処理装置。
【請求項７】
前記表示制御部は、前記設定画面における合成元ゲームオブジェクトを、前記合成部により行われた合成における合成元ゲームオブジェクトのグループに属するゲームオブジェクトのうち、どのゲームオブジェクトにするかの選択を受け付ける画面を、前記設定画面に表示させる、
請求項１〜６のいずれか一項に記載の情報処理装置。
【請求項８】
前記表示制御部は、前記合成部により行われた第１合成における合成元ゲームオブジェクトのグループに属するいずれかのゲームオブジェクトが、前記設定画面において合成元ゲームオブジェクトとして既に設定されている場合、前記設定画面を表示させない、
請求項１〜７のいずれか一項に記載の情報処理装置。
【請求項９】
前記表示制御部は、過去に前記所定条件が満たされたために表示された前記設定画面において第２合成を行わないとの設定が行われた場合で、かつ、前記合成部により行われた合成における合成元ゲームオブジェクトが、該第２合成を行わないとの設定が行われたゲームオブジェクトのグループに属するゲームオブジェクトに含まれる場合、前記設定画面を表示させない、
請求項１〜８のいずれか一項に記載の情報処理装置。
【請求項１０】
前記表示制御部は、前記合成部により行われた第１合成における合成元ゲームオブジェクトのグループに対し、前記設定画面において第２合成を行うことの設定又は第２合成を行わないことの設定が過去に行われていた場合、前記設定画面を表示させない、
請求項１〜９のいずれか一項に記載の情報処理装置。
【請求項１１】
前記表示制御部は、前記ユーザが、所有するゲームオブジェクトの複数のパラメータのうち、合成により値が増加する特定パラメータの値を所定値に到達させたことがない場合、前記設定画面を表示させない、
請求項１〜１０のいずれか一項に記載の情報処理装置。
【請求項１２】
情報処理装置が行う情報処理方法であって、
ユーザが所有するゲームオブジェクトを記憶部に記憶するステップと、
前記ユーザにより指定された合成元となる合成元ゲームオブジェクトと、該合成元ゲームオブジェクトと合成可能な素材ゲームオブジェクトとの第１合成を行うステップと、
前記第１合成を行うステップにより行われた第１合成において所定条件を満たす場合、合成元ゲームオブジェクトと、前記ユーザに新たに付与された、該合成元ゲームオブジェクトと合成可能な素材ゲームオブジェクトとの第２合成に関する設定を行う設定画面を表示させるステップと、
を含む情報処理方法。
【請求項１３】
コンピュータに、
ユーザが所有するゲームオブジェクトを記憶部に記憶するステップと、
前記ユーザにより指定された合成元となる合成元ゲームオブジェクトと、該合成元ゲームオブジェクトと合成可能な素材ゲームオブジェクトとの第１合成を行うステップと、
前記第１合成を行うステップにより行われた第１合成において所定条件を満たす場合、合成元ゲームオブジェクトと、前記ユーザに新たに付与された、該合成元ゲームオブジェクトと合成可能な素材ゲームオブジェクトとの第２合成に関する設定を行う設定画面を表示させるステップと、
を実行させるためのプログラム。
【発明の詳細な説明】
【技術分野】
【０００１】
本発明は、情報処理装置、情報処理方法及びプログラムに関する。
【背景技術】
【０００２】
ユーザが所有するキャラクタを敵キャラクタと戦わせることで勝敗を決定するゲームが知られている。また、ユーザが所有する複数の所有カードのうち、所定の組み合わせを形成するゲームカード同士を組み合わせること（ゲームカードを合成すること）により、合成後のゲームカードに対応するキャラクタの能力値（パラメータ）を変化させることができるゲームも存在する（特許文献１）。
【先行技術文献】
【特許文献】
【０００３】
【特許文献１】特許第５５０４３６９号公報
【発明の概要】
【発明が解決しようとする課題】
【０００４】
特許文献１に記載のゲームおいて、ユーザ自身が所有する複数のキャラクタを合成する場合、ユーザは、合成をしたい複数のキャラクタを自ら選択する必要があるため手間である。この点について、特許文献１には、不要なカードと判定されたカードについて、ユーザの操作入力によらず自動的にカード合成処理を実行するようにしてもよいことが記載されている。しかしながら、近年のゲームはゲーム仕様が複雑であることから、キャラクタ（カード）を自動的に合成する機能を利用するとしても、合成対象にするキャラクタと合成対象にはしないキャラクタの設定など、ユーザの意思によって様々な条件の設定が必要になると考えられる。また、一度設定した条件をゲームの進行に応じて再度変更することも必要になると考えられることから、ユーザの手間は大きいと考えられる。
【０００５】
そこで、本発明は、ユーザが合成に関する設定を行う手間を軽減させることを可能とする技術を提供することを目的とする。
【課題を解決するための手段】
【０００６】
本発明の一態様に係る情報処理装置は、ユーザが所有するゲームオブジェクトを記憶する記憶部と、前記ユーザにより指定された合成元となる合成元ゲームオブジェクトと、該合成元ゲームオブジェクトと合成可能な素材ゲームオブジェクトとの第１合成を行う合成部と、前記合成部により行われた第１合成において所定条件を満たす場合、合成元ゲームオブジェクトと合成可能な素材ゲームオブジェクトが前記ユーザに新たに付与されたときに、合成元ゲームオブジェクトと該新たに付与された素材ゲームオブジェクトとの第２合成に関する設定を行う設定画面を表示させる表示制御部と、を有する。
【発明の効果】
【０００７】
本発明によれば、ユーザが合成に関する設定を行う手間を軽減させることを可能とする技術を提供することができる。
【図面の簡単な説明】
【０００８】
【図１】本実施形態に係るゲームシステムのシステム構成の一例を示す図である。
【図２】ゲームサーバ及び端末のハードウェア構成の一例を示す図である。
【図３】ゲームサーバの機能ブロック構成例を示す図である。
【図４】キャラクタ設定ＤＢ、所持キャラクタ管理ＤＢ及び自動合成設定ＤＢの一例を示す図である。
【図５】端末の機能ブロック構成例を示す図である。
【図６】ゲームサーバが行う処理手順の一例を示すフローチャートである。
【図７】自動合成画面への画面遷移例（その１）を示す図である。
【図８】自動合成画面への画面遷移例（その２）を示す図である。
【図９】自動合成画面への画面遷移例（その３）を示す図である。
【発明を実施するための形態】
【０００９】
添付図面を参照して、本発明の実施形態について説明する。なお、各図において、同一の符号を付したものは、同一又は同様の構成を有する。
【００１０】
＜システム構成＞
図１は、本実施形態に係るゲームシステム１のシステム構成の一例を示す図である。図１に示すゲームシステム１は、ゲームサーバ１０と、複数の端末２０とを備える。ゲームサーバ１０及び端末２０は、インターネット、イントラネット、無線ＬＡＮ又は移動通信等の通信ネットワークＮを介して互いに通信可能に接続されている。
【００１１】
ゲームサーバ１０は、例えば、プレイヤに関する各種情報を管理したり、ゲームの一部の処理を実行したりする等、端末２０がゲームを提供する上でその一部の機能を担う装置である。ゲームサーバ１０は、１又は複数の情報処理装置やコンピュータから構成されていてもよいし、仮想的なサーバ（クラウドサーバ等）を用いて構成されていてもよい。
【００１２】
端末２０は、ゲームをプレイヤに提供する情報処理装置であり、プレイヤは、端末２０を操作することで本実施形態に係るゲームを実行することができる。端末２０は、例えば、携帯電話（スマートフォンを含む）、タブレット、パーソナルコンピュータ、アーケードゲーム装置、又は、コンシューマゲーム装置等のコンピュータである。端末２０は、ＧＰＳ(Global Positioning System)等を用いて検出した自身の位置をゲームサーバ１０に通知する。
【００１３】
＜ゲーム概要＞
続いて、本実施形態に係るゲームシステム１が提供するゲームの概要を説明する。ゲームシステム１が提供するゲーム（以下、「本ゲーム」と言う。）では、プレイヤ（ユーザと称してもよい）は、所有している複数のキャラクタの中から選択したキャラクタでデッキを編成し、編成したデッキを用いてクエストをクリアすることで、新たなキャラクタやアイテムを入手することができる。また、プレイヤは、課金等を行うことで新たなキャラクタやアイテムを入手することもできる。
【００１４】
ここで、クエストとは、予め定められた一定の条件を満たすことでクリア可能な課題を意味する用語である。クエストは、一般的には、探索、課題及びミッションと呼ばれることもある。
【００１５】
デッキとは、複数のキャラクタを組み合わせたグループを意味する用語である。プレイヤは、クエストを実行する際、当該クエストをクリアするために適した能力を持つキャラクタを選択してデッキを編成してクエストを実行する。ゲームサーバ１０には、プレイヤが編成した複数のデッキを記憶しておくことができ、プレイヤは、クエスト実行時に、記憶された複数のデッキの中から一のデッキを選択してクエストを実行することも可能である。本実施形態では、プレイヤがクエストを実行することを、クエストをプレイすると称してもよい。
【００１６】
クエストに参加したプレイヤは、当該一定の条件を満たすことでクエストをクリアすることができ、クエストをクリアすると、プレイヤに報酬が与えられたり、本ゲームのストーリーが進行したりする。報酬には、アイテムや、デッキ編成に利用可能なキャラクタ等が含まれる。
【００１７】
プレイヤは、プレイヤ自身が所有しているキャラクタ及びアイテムを合成することで、キャラクタのステータスを向上させたり、より強化された他のキャラクタに遷移させたりすることができる。ここで、キャラクタ及びアイテムを、「オブジェクト」又は「ゲームオブジェクト」と称してもよい。また、ステータスを「パラメータ」と称してもよい。また、あるキャラクタが他のキャラクタに“遷移する”ことは、“変化する”、“変異する”、“派生する”、“進化する”又は“神化する”などと称してもよい。本実施形態において“合成する”とは、２つのゲームオブジェクトを組み合わせて１つのゲームオブジェクトを作ること、及び、あるゲームオブジェクトに他のゲームオブジェクトを適用することを意味する。
【００１８】
合成は、合成元（合成のベース）となるキャラクタ（以下、「合成元キャラクタ」と言う。）に、合成元キャラクタと合成することが可能な他のキャラクタ（以下、「素材キャラクタ」と言う。）又はアイテム（以下、「素材アイテム」と言う。）を合成することで行われる。
【００１９】
例えば、プレイヤが、キャラクタＡを合成元キャラクタとして選択し、キャラクタＢを素材キャラクタとして選択した場合、キャラクタＡのステータスが変更され（又は他のキャラクタに遷移し）、キャラクタＢは消滅する。同様に、プレイヤが、キャラクタＡを合成元キャラクタとして選択し、アイテムＸを素材アイテムとして選択した場合、キャラクタＡのステータスが変更され（又は他のキャラクタに遷移し）、アイテムＸは消滅する。
【００２０】
合成により、合成元キャラクタが他のキャラクタに遷移する場合、合成元キャラクタは、合成元キャラクタと同一グループに属する他のキャラクタに遷移する。ここで、「グループ」とは、遷移前のキャラクタと、遷移後のキャラクタとから構成されるキャラクタのグループを意味する。
【００２１】
遷移後のキャラクタを、遷移前のキャラクタとは形態が異なるキャラクタと表現するようにしてもよい。つまり、“形態”とは、キャラクタの遷移状態を意味することとしてもよい。例えば、遷移前のキャラクタが形態Ａのキャラクタであった場合、遷移後のキャラクタは、“形態Ｂに遷移したキャラクタ”や、“形態Ｂのキャラクタ”などと表現されてもよい。また、遷移後のキャラクタは複数存在していてもよい。例えば、形態Ｃや形態Ｄに遷移したキャラクタが存在していてもよい。
【００２２】
また、遷移前のキャラクタをベースキャラクタと表現し、遷移後のキャラクタを、ベースキャラクタから遷移したキャラクタ若しくはベースキャラクタが変化（又は、変異、進化、神化）したキャラクタと表現するようにしてもよい。また、「グループ」は、ベースキャラクタ及びベースキャラクタが変化したキャラクタから構成されるグループを意味するものとしてもよい。
【００２３】
キャラクタの合成には、プレイヤ自ら、合成元キャラクタと素材キャラクタとを指定することで行う合成（以下、「手動合成」又は「第１合成」と言う。）と、予め設定された条件に従って、合成元キャラクタと素材キャラクタとをゲームサーバ１０が自動的に選択することで行う合成（以下、「自動合成」又は「第２合成」と言う。）とが存在する。自動合成に関する設定を行う画面を、「自動設定画面」と言う。自動設定画面は、キャラクタを表示する画面等で、プレイヤが所定のボタンを押下することで表示される。自動設定画面を、設定画面と称してもよい。
【００２４】
本ゲームでは、ゲームサーバ１０は、プレイヤが行った手動合成において所定条件を満たす場合、自動設定画面をプレイヤの端末２０に表示させる。より具体的には、ゲームサーバ１０は、自動設定画面を、プレイヤが自動合成の設定を行う／変更する可能性があると想定されるタイミングで端末２０に表示させることで、プレイヤが、自動合成に関する設定をスムーズに行えるように補助する。
【００２５】
＜ハードウェア構成＞
図２は、ゲームサーバ１０及び端末２０のハードウェア構成の一例を示す図である。ゲームサーバ１０及び端末２０は、ＣＰＵ（Central Processing Unit）、ＧＰＵ（Graphical processing unit）等のプロセッサ１１、メモリ、ＨＤＤ（Hard Disk Drive）及び／又はＳＳＤ（Solid State Drive）等の記憶装置１２、有線又は無線通信を行う通信ＩＦ（Interface）１３、入力操作を受け付ける入力デバイス１４、及び情報の出力を行う出力デバイス１５を有する。入力デバイス１４は、例えば、キーボード、タッチパネル、マウス及び／又はマイク等である。出力デバイス１５は、例えば、ディスプレイ、タッチパネル及び／又はスピーカ等である。
【００２６】
＜機能ブロック構成＞
（ゲームサーバ）
図３は、ゲームサーバ１０の機能ブロック構成例を示す図である。ゲームサーバ１０は、記憶部１００と、ゲーム制御部１１０とを含む。記憶部１００は、ゲームサーバ１０が備える記憶装置１２を用いて実現することができる。また、ゲーム制御部１１０は、ゲームサーバ１０のプロセッサ１１が、記憶装置１２に記憶されたプログラムを実行することにより実現することができる。また、当該プログラムは、記憶媒体に格納することができる。当該プログラムを格納した記憶媒体は、コンピュータ読み取り可能な非一時的な記憶媒体（Non-transitory computer readable medium）であってもよい。非一時的な記憶媒体は特に限定されないが、例えば、ＵＳＢメモリ又はＣＤ−ＲＯＭ等の記憶媒体であってもよい。
【００２７】
記憶部１００は、キャラクタ設定ＤＢ１００ａ、所有キャラクタ管理ＤＢ１００ｂ及び自動合成設定ＤＢ１００ｃを記憶する。
【００２８】
図４は、キャラクタ設定ＤＢ１００ａ、所有キャラクタ管理ＤＢ１００ｂ及び自動合成設定ＤＢ１００ｃの一例を示す図である。
【００２９】
キャラクタ設定ＤＢ１００ａは、本ゲームに登場するキャラクタに関する各種の設定を管理する。キャラクタ設定ＤＢ１００ａには、キャラクタを一意に識別する識別子（キャラクタＩＤ）、キャラクタが属するグループを示す識別子（グループＩＤ）、キャラクタの遷移状態を示す識別子（形態）、レベルの上限値（最大レベル）、ラックの上限値（最大ラック）、ＨＰ（ヒットポイント）の上限値（最大ＨＰ）、攻撃力の上限値（最大攻撃力）及びスピードの上限値（最大スピード）が対応づけられて格納される。
【００３０】
所有キャラクタ管理ＤＢ１００ｂは、プレイヤが所有するキャラクタを記憶する。所有キャラクタ管理ＤＢ１００ｂには、キャラクタを所有するプレイヤを一意に識別する識別子（プレイヤＩＤ）、キャラクタを一意に識別する識別子（キャラクタＩＤ）、及び、キャラクタの現時点のステータス（レベル、ラック（運）、ＨＰ（ヒットポイント）、攻撃力、スピード等）が対応づけられて格納される。所有キャラクタ管理ＤＢ１００ｂは、プレイヤが所有するキャラクタを格納するキャラクタボックスと称されてもよい。
【００３１】
自動合成設定ＤＢ１００ｃは、各プレイヤが設定した、自動合成に関する設定値を格納するＤＢである。自動合成設定ＤＢ１００ｃには、プレイヤを一意に識別する識別子（プレイヤＩＤ）、設定対象のキャラクタのグループを一意に識別する識別子（グループＩＤ）、自動合成を行う場合に、自動合成を行う対象である合成元キャラクタの形態を示す情報（自動合成設定）、及び、手動合成において所定条件を満たしたことにより自動設定画面をプレイヤの端末２０に表示させた際に、プレイヤが当該自動設定画面にて行った設定内容の履歴（補助履歴）が対応づけられて格納される。
【００３２】
ここで、自動合成設定における「しない」は、プレイヤが自動設定画面において、自動合成をしないことを選択していることを示す。また、自動合成設定における「する（形態Ａ）」は、プレイヤが自動設定画面において、同一グループに含まれる複数のキャラクタのうち、合成元キャラクタとして形態がＡであるキャラクタを設定していることを示す。「する（形態Ｂ）」及び「する（形態Ｃ）」についても同様である。
【００３３】
補助履歴における「履歴無し」は、同一グループＩＤに属するキャラクタを合成元キャラクタとしてプレイヤが行った手動合成において所定条件を満たしたことが無いために自動設定画面が表示されたことが無い状態を示す。「しないを選択」は、当該手動合成で所定条件を満たしたことにより表示された自動設定画面において、プレイヤが自動合成をしないことを選択したことを示す。「する（形態Ａ）を選択」は、当該手動合成で所定条件を満たしたことにより表示された自動設定画面において、プレイヤが、形態がＡであるキャラクタに対して自動合成をするように設定したことを示す。図４の例では、グループＧ０２に対応する補助履歴に「しないを選択」が記録されているが、これは、グループＧ０２に属する合成元キャラクタに対して手動合成が行われ、その結果表示された自動設定画面において、プレイヤが、自動合成をしないことを選択したことを示している。
【００３４】
図３に戻り説明を続ける。ゲーム制御部１１０は、本ゲームを実行するために必要な各種の機能を提供する。ゲーム制御部１１０は、合成部１１１と、表示制御部１１２とを含む。
【００３５】
合成部１１１は、プレイヤにより指定された合成元キャラクタと、該合成元キャラクタと合成可能な素材キャラクタ又は素材アイテム（素材ゲームオブジェクト）との手動合成（第１合成）を行う。
【００３６】
表示制御部１１２は、合成部１１１により行われた手動合成において所定条件を満たす場合、合成元キャラクタと合成可能な素材キャラクタ又は素材アイテム（素材ゲームオブジェクト）とがプレイヤに新たに付与されたときに、合成元キャラクタと該新たに付与された素材キャラクタ又は素材アイテム（素材ゲームオブジェクト）との自動合成（第２合成）に関する設定を行う自動設定画面を表示させる。
【００３７】
（端末）
図５は、端末２０の機能ブロック構成例を示す図である。端末２０は、記憶部２００と、通信部２０１と、ＵＩ（User Interface）部２０２と、ゲーム制御部２０３とを含む。記憶部２００は、端末２０が備える記憶装置１２を用いて実現することができる。また、通信部２０１と、ＵＩ部２０２と、ゲーム制御部２０３とは、端末２０のプロセッサ１１が、記憶装置１２に記憶されたプログラムを実行することにより実現することができる。また、当該プログラムは、記憶媒体に格納することができる。当該プログラムを格納した記憶媒体は、コンピュータ読み取り可能な非一時的な記憶媒体であってもよい。非一時的な記憶媒体は特に限定されないが、例えば、ＵＳＢメモリ又はＣＤ−ＲＯＭ等の記憶媒体であってもよい。
【００３８】
記憶部２００は、ゲーム制御部２０３が本ゲームを実行するために必要なゲームデータを記憶する。ゲームデータには、キャラクタの画像データ、ゲームシナリオ等が格納される。
【００３９】
通信部２０１は、通信ＩＦ１３を用いてゲームサーバ１０との間で各種の通信を行う機能を有する。
【００４０】
ＵＩ部２０２は、プレイヤから各種の入力を受け付ける処理と、ディスプレイに各種のゲーム画面を表示させる機能とを有する。また、ＵＩ部２０２は、ゲームサーバ１０の指示に従い、端末２０の出力デバイス１５（ディスプレイ）にゲーム画面を表示する。
【００４１】
ゲーム制御部２０３は、ゲームサーバ１０と連携することで、本ゲームを実行するために必要な各種の機能を提供する。例えば、ゲーム制御部２０３は、ゲーム画面に描画するための各種の情報（アイコン画像データ、テキストデータ等）をゲームサーバ１０から取得する機能等を提供する。
【００４２】
以上説明した機能ブロック構成について、ゲームサーバ１０に含まれる合成部１１１と表示制御部１１２とのうち全部又は一部を、端末２０のゲーム制御部２０３に備える構成とするようにしてもよい。
【００４３】
＜処理手順＞
以下の説明では、合成元キャラクタと、合成元キャラクタと同一グループに属する他のキャラクタを素材キャラクタとして合成した場合、合成元キャラクタが持つ複数のステータスのうち特定ステータス（例えばラック（運））が向上するものとする。また、特定ステータスの値が所定値以上になったキャラクタを含むデッキでクエストをクリアした場合、特定ステータスが所定値以上になったキャラクタを含まないデッキでクエストをクリアした場合と比較して、クリア時に入手可能なアイテムの数が増加するものとする。また、特定ステータスの値が所定値未満の場合、クリア時に入手可能なアイテムの数は変化しないものとする。ここで、所定値は、予め指定された特定の値であってもよい。また、「所定値以上」及び「所定値未満」をそれぞれ「上限値」及び「上限値未満」に置き換えてもよい（以下の各所定条件の説明でも同様）。また、所定値又は上限値は、キャラクタ設定ＤＢ１００ａに示されるように、キャラクタ毎に異なっていてもよい（以下の各所定条件の説明でも同様）。なお、当該特定ステータスの効果は、以下の説明をするための前提に過ぎず、本実施形態がこれに限定されるものではない。例えば、特定ステータスは、値の大小がクエストの実行に何ら影響を与えないステータスであってもよい。
【００４４】
また、同一グループに属するキャラクタには、状態が遷移する前のキャラクタである形態Ａのキャラクタと、状態が遷移した後のキャラクタである形態Ｂのキャラクタ及び形態Ｃのキャラクタが含まれるものとする。
【００４５】
また、合成元キャラクタのレベルが最大値である場合、当該合成元キャラクタに、特殊アイテム又は特殊キャラクタを素材として合成することで、合成元キャラクタを、合成元キャラクタと同一グループに属する、よりステータスが強化された形態のキャラクタに遷移させることができるものとする。
【００４６】
また、プレイヤは、クエスト終了時に新たなキャラクタを１以上入手することができるものとする。プレイヤが入手したキャラクタは、プレイヤのキャラクタボックス（所有キャラクタ管理ＤＢ１００ｂ）に格納され、プレイヤの所有キャラクタ一覧に追加される。なお、キャラクタボックスのサイズ（プレイヤが所有可能なキャラクタ数）には上限があるものとする。
【００４７】
図６は、ゲームサーバ１０が行う処理手順の一例を示すフローチャートである。合成部１１１は、プレイヤから手動合成の指示を受け付けると、合成元キャラクタと素材キャラクタ又は素材アイテムを合成する（Ｓ１０）。続いて、表示制御部１１２は、合成部１１１で行われた手動合成が所定条件を満たすか否かを判定する（Ｓ１１）。所定条件を満たさない場合は処理を終了し、所定条件を満たす場合は、自動設定画面をプレイヤの端末２０に表示させる（Ｓ１２）。
【００４８】
（所定条件の具体例）
以下、所定条件について複数の具体例を説明する。ゲームサーバ１０は、これらの所定条件の全部を備えていてもよいし一部のみを備えていてもよい。
【００４９】
［所定条件１］
表示制御部１１２は、合成部１１１により行われた手動合成において、素材キャラクタに、合成元キャラクタごとに設定される特定の素材キャラクタ（特定ゲームオブジェクト）が含まれていた場合、所定条件を満たすと判定し、自動設定画面を表示させるようにしてもよい。
【００５０】
特定の素材キャラクタは、合成元キャラクタと同一グループに属するキャラクタであってもよい。つまり、特定の素材キャラクタは、合成した場合に、合成元キャラクタが持つ複数のステータスのうち特定ステータス（例えばラック（運））を向上させることが可能な素材キャラクタであってもよい。
【００５１】
前述の通り、本ゲームでは、特定ステータスが所定値以上になったキャラクタを含むデッキでクエストをクリアした場合、クリア時に入手可能なアイテムの数が増加する。従って、合成元キャラクタと特定の素材キャラクタとを手動合成したプレイヤは、その後、合成元キャラクタの特定ステータスを上限値まで向上させるために、自動合成の設定を行うことが想定される。所定条件１によれば、プレイヤが自ら自動設定画面を表示させる操作を行わなくても自動的に自動設定画面が表示されることから、プレイヤの手間を削減することが可能になる。
【００５２】
［所定条件２］
表示制御部１１２は、所定条件１を満たす場合において、更に、所定条件１で説明した特定の素材キャラクタが、プレイヤがプレイ可能な特定のイベントで入手可能である場合、自動設定画面を表示させるようにしてもよい。
【００５３】
特定のイベントは、今後実施されるクエストとして予めゲームサーバ１０に設定されているクエスト（つまり、プレイヤが今後プレイ可能なクエスト）であってもよい。
【００５４】
所定条件２によれば、所定条件１を満たす場合であって、かつ、手動合成に用いた特定の素材キャラクタが、今後入手可能なキャラクタである場合に、自動的に自動設定画面が表示されることになる。これにより、素材キャラクタが、今後入手することができないキャラクタであるにも関わらず自動設定画面が無駄に表示されてしまうことを抑制することが可能になる。
【００５５】
［所定条件３］
表示制御部１１２は、合成部１１１により行われた手動合成において、合成元キャラクタの複数のステータスのうち合成により値が増加する特定ステータスの値が増加した場合、所定条件を満たすと判定し、自動設定画面を表示させるようにしてもよい。
【００５６】
前述の通り、本ゲームでは、特定ステータスが所定値以上になったキャラクタを含むデッキでクエストをクリアした場合、クリア時に入手可能なアイテムの数が増加する。従って、手動合成することで合成元キャラクタの特定のステータスを増加させたプレイヤは、合成元キャラクタの特定ステータスを所定値以上まで向上させるために、自動合成の設定を行うことが想定される。所定条件３によれば、プレイヤが自ら自動設定画面を表示させる操作を行わなくても自動的に自動設定画面が表示されることから、プレイヤの手間を削減することが可能になる。
【００５７】
なお、表示制御部１１２は、合成部１１１により行われた手動合成において、更に、増加後の特定ステータスの値が所定値以上である場合、所定条件を満たさないと判定し、自動設定画面を表示させないようにしてもよい。特定ステータスの値が所定値以上である場合、自動合成を行う必要は無いと考えられることから、自動設定画面が表示されることで、プレイヤが煩わしく感じてしまうことを抑制することが可能になる。
【００５８】
［所定条件４］
表示制御部１１２は、合成部１１１により行われた手動合成において、合成元キャラクタの複数のステータスのうち合成により値が増加する特定ステータスを所定値にするまでに必要な素材キャラクタの数が、キャラクタボックスの空き領域数（記憶部１００においてゲームオブジェクトを格納可能な空き領域数）よりも大きい場合、所定条件を満たすと判定し、自動設定画面を表示させるようにしてもよい。
【００５９】
本ゲームにおいて、合成元キャラクタの特定ステータスを所定値にするまでに必要な素材キャラクタの数が、キャラクタボックスの空き領域数よりも大きい場合、プレイヤは、１回の手動合成で、合成元キャラクタの特定のステータスを所定値まで上げることができない。
【００６０】
例えば、合成元キャラクタに対して１体の素材キャラクタを合成すると、特定ステータスが１上昇すると仮定する。また、現在の特定ステータスは１であり、特定ステータスの上限は３０であると仮定する。つまり、プレイヤは、合成元キャラクタの特定ステータスを所定値にするためには、合成元キャラクタと２９体の素材キャラクタを合成する必要がある。もし、キャラクタボックスの空き領域が１０であった場合、プレイヤは、素材キャラクタを最大１０体しか所有することができないため、一度の手動合成では、合成元キャラクタの特定のステータスを、最大で１１までしか上げることができない。このような場合、プレイヤは、自動合成を設定し、合成元キャラクタの特定ステータスが上限値に達するまで、クエストを繰り返しクリアして素材キャラクタを集めるか、若しくは、キャラクタが当たる抽選（ガチャ）を繰り返し行うことにより素材キャラクタを集めることが想定される。従って、所定条件４によれば、プレイヤが自ら自動設定画面を表示させる操作を行わなくても自動的に自動設定画面が表示されることから、プレイヤの手間を削減することが可能になる。
【００６１】
［所定条件５］
表示制御部１１２は、合成設定画面における合成元キャラクタを、合成部１１１により行われた合成における合成元キャラクタのグループに属するキャラクタのうち、どのキャラクタにするかの選択を受け付ける画面を、合成設定画面に表示させるようにしてもよい。
【００６２】
具体的には、自動合成画面では、自動合成の設定として「する（形態Ａ）」、「する（形態Ｂ）」、「する（形態Ｃ）」及び「しない」のうちいずれか１つの選択が可能であるとしてもよい。また、プレイヤが所持していないキャラクタの形態については、所持しているキャラクタと識別可能に表示し、選択を不可能としてもよい。
【００６３】
これにより、プレイヤは、自動合成の設定をする際に、合成元キャラクタを容易に選択することが可能になる。
【００６４】
なお、自動合成画面において「する（形態Ａ）」、「する（形態Ｂ）」及び「する（形態Ｃ）」のいずれかに設定されている場合、プレイヤがクエスト終了時に新たなキャラクタを入手すると、入手したキャラクタはキャラクタボックスに格納されず、直接、合成元キャラクタと自動的に合成されるものとしてもよい。従って、「自動合成」は、プレイヤに付与されたキャラクタを当該プレイヤに関連付けずに合成する処理（言い換えると、プレイヤが新たに入手したキャラクタを、当該プレイヤのキャラクタボックスに格納する前に合成する処理）と表現するようにしてもよい。
【００６５】
［所定条件６］
表示制御部１１２は、合成部１１１により行われた手動合成において、合成元キャラクタが、該合成元キャラクタと同一グループに属する他のキャラクタに遷移した場合、所定条件を満たすと判定し、自動設定画面を表示させるようにしてもよい。すなわち、表示制御部１１２は、手動合成の結果、合成元キャラクタが、形態Ｂのキャラクタ又は形態Ｃのキャラクタに遷移した場合に、自動設定画面を表示させるようにしてもよい。  前述の通り、自動合成画面では、自動合成の設定として「する（形態Ａ）」、「する（形態Ｂ）」、「する（形態Ｃ）」及び「しない」のうちいずれか１つの選択を可能としてもよい。この場合、プレイヤが、自動合成画面において、過去に「する（形態Ａ）」を選択していた状態で、形態Ａのキャラクタを形態Ｂに遷移させた場合、プレイヤは、自動合成画面を自ら開いて、自動合成の設定を「する（形態Ｂ）」に変更しなければ、形態Ｂに遷移させたキャラクタを合成元キャラクタとして自動合成させることができない。つまり、所定条件５によれば、プレイヤが自ら自動設定画面を表示させる操作を行わなくても自動的に自動設定画面が表示されることから、プレイヤの手間を削減することが可能になる。
【００６６】
また、表示制御部１１２は、合成部１１１により行われた手動合成において、合成元キャラクタが、該合成元キャラクタと同一グループに属する他のキャラクタに遷移した場合であって、かつ、手動合成前には遷移後の当該他のキャラクタと同一のキャラクタをプレイヤが所持していない場合、所定条件を満たすと判定し、自動設定画面を表示させるようにしてもよい。すなわち、表示制御部１１２は、手動合成の結果、合成元キャラクタが、形態Ｂ（又は形態Ｃ）のキャラクタに遷移し、かつ、プレイヤが、手動合成をする前には当該形態Ｂ（又は形態Ｃ）のキャラクタを所持していない場合に、自動設定画面を表示させるようにしてもよい。もし、手動合成前から既に形態Ｂ（又は形態Ｃ）のキャラクタを１体以上所持していた場合、プレイヤは、既に、自動合成を設定済みである可能性がある。従って、プレイヤが、自動合成の設定を変更すると想定されるタイミングに絞って、自動設定画面を表示させることが可能になる。
【００６７】
また、表示制御部１１２は、合成部１１１により行われた手動合成において、合成元キャラクタが、該合成元キャラクタと同一グループに属する他のキャラクタに遷移した場合であって、かつ、手動合成後には、遷移前の合成元キャラクタと同一のキャラクタをプレイヤが所持していない場合、所定条件を満たすと判定し、自動設定画面を表示させるようにしてもよい。すなわち、表示制御部１１２は、手動合成の結果、合成元キャラクタ（形態Ａ）が、形態Ｂのキャラクタ（又は形態Ｃのキャラクタ）に遷移し、かつ、プレイヤが、手動合成をした後には、形態Ａのキャラクタを一体も所持していない場合に、自動設定画面を表示させるようにしてもよい。もし、形態Ａのキャラクタを２体以上所持しており、自動合成において形態Ａが合成元キャラクタに設定されていたとする。この状態でプレイヤが、当該２体以上のキャラクタのうち１体を手動合成により形態Ｂ又はＣに遷移させた場合、プレイヤは、合成元キャラクタを形態Ａから変更したくないと考えることが想定される。従って、プレイヤが、自動合成の設定を変更すると想定されるタイミングに絞って、自動設定画面を表示させることが可能になる。
【００６８】
［所定条件７］
表示制御部１１２は、合成部１１１により行われた自動合成における合成元キャラクタのグループに属するいずれかのキャラクタが、自動設定画面において合成元キャラクタとして既に設定されている場合、所定条件を満たさないと判定し、自動設定画面を表示させないようにしてもよい。
【００６９】
例えば、合成元キャラクタＡに対して手動合成を行った結果、所定条件が満たされたことで端末２０の画面に自動設定画面が表示された場合、若しくは、所定条件が満たされたことに伴う自動設定画面の表示ではなく所定条件が満たされていない状態でプレイヤが自らキャラクタＡに対する自動設定画面を表示させた場合において、プレイヤが、当該自動設定画面で自動合成を「しない」とする設定を行ったと仮定する。その後、プレイヤが合成元キャラクタＡと同一グループに属するキャラクタＢに対して手動合成を行ったと仮定する。この場合、表示制御部１１２は、所定条件を満たさないと判定し、自動合成画面を端末２０に表示させないようにする。
【００７０】
所定条件７によれば、既に自動合成をすることを設定済みであるにも関わらず、再度設定画面が表示されてしまい、プレイヤが煩わしく感じてしまうことを抑制することが可能になる。
【００７１】
［所定条件８］
表示制御部１１２は、合成部１１１により行われた手動合成における合成元キャラクタのグループに対し、自動設定画面において自動合成を行うことの設定又は自動合成を行わないことの設定が過去に行われていた場合、所定条件を満たさないと判定し、自動設定画面を表示させないようにしてもよい。
【００７２】
例えば、合成元キャラクタＡに対して手動合成を行った結果、所定条件が満たされたことで端末２０の画面に自動設定画面が表示された場合、若しくは、プレイヤが自らキャラクタＡに対する自動設定画面を表示させた場合において、プレイヤが、当該自動設定画面で自動合成に関する何らかの設定（つまり、「する」又は「しない」のいずれか）を行ったと仮定する。その後、プレイヤが合成元キャラクタＡと同一グループに属するキャラクタＢに対して手動合成を行ったと仮定する。この場合、表示制御部１１２は、所定条件を満たさないと判定し、自動合成画面を端末２０に表示させないようにする。
【００７３】
所定条件８によれば、既に自動合成に関する設定（自動合成をする／しない）を設定済みであるにも関わらず、再度設定画面が表示されてしまい、プレイヤが煩わしく感じてしまうことを抑制することが可能になる。
【００７４】
［所定条件９］
表示制御部１１２は、過去に所定条件が満たされたために表示された自動設定画面において自動合成を行わないとの設定が行われた場合で、かつ、合成部１１１により行われた合成における合成元キャラクタが、該自動合成を行わないとの設定が行われたキャラクタのグループに属するキャラクタに含まれる場合、所定条件を満たさないと判定し、自動設定画面を表示させないようにしてもよい。
【００７５】
例えば、合成元キャラクタＡに対して手動合成を行った結果、所定条件が満たされたことで端末２０の画面に自動設定画面が表示され、プレイヤによって自動合成を「しない」とする設定がなされたと仮定する。その後、プレイヤが合成元キャラクタＡと同一グループに属するキャラクタＢに対して手動合成を行ったと仮定する。
【００７６】
この場合、表示制御部１１２は、自動合成設定ＤＢ１００ｃの「補助履歴」カラムを参照することで、キャラクタＢが属するグループに対して、プレイヤが「しない」を選択した履歴の有無を検索する。もし、プレイヤが「しない」を選択した履歴が存在する場合、表示制御部１１２は、自動合成画面を端末２０に表示させないようにする。一方、プレイヤが「しない」を選択した履歴が存在しない場合、表示制御部１１２は、所定条件を満たす場合（例えば所定条件１〜６のいずれかを満たす場合）に、自動合成画面を端末２０に表示させるようにする。
【００７７】
所定条件９によれば、既に自動合成をしないことを設定済みであるにも関わらず、再度設定画面が表示されてしまい、プレイヤが煩わしく感じてしまうことを抑制することが可能になる。
【００７８】
［所定条件１０］
表示制御部１１２は、プレイヤが、自身が所有している又は過去に所有していたキャラクタの複数のステータスのうち、合成により値が増加する特定ステータスの値を所定値に到達させたことがない場合、所定条件を満たさないと判定し、自動設定画面を表示させないようにしてもよい。
【００７９】
所定条件１０によれば、プレイヤが、合成により特定ステータスの値を所定値に到達させることに興味が無い場合、設定画面を表示させないようにすることで、プレイヤが煩わしく感じてしまうことを抑制することが可能になる。
【００８０】
＜画面表示例＞
図７は、自動合成画面への画面遷移例（その１）を示す図である。図７は、プレイヤが自ら自動合成画面を表示させる場合の画面遷移例を示している。キャラクタ画面Ａ１００は、キャラクタＭのステータス等を表示する画面である。キャラクタ画面Ａ１００においてボタンＢ１０が押下されると、キャラクタＭに関する自動合成の設定を行う自動合成画面Ａ１０１が表示される。
【００８１】
自動合成画面Ａ１０１には、自動合成の設定を行うボタンが領域Ｗ１０１に表示される。領域Ｗ１０１には、自動合成しないことを選択するボタンＢ１１、合成元キャラクタを、キャラクタＭと同一グループに属するキャラクタのうち形態Ａのキャラクタとすることを選択するボタンＢ１２、形態Ｂのキャラクタとすることを選択するボタンＢ１３、
形態Ｃのキャラクタとすることを選択するボタンＢ１４が表示されている。プレイヤが、ボタンＢ１１〜Ｂ１４のボタンのうちいずれか１つを選択してボタンＢ１５を押下すると、自動合成の設定が完了し、画面Ａ１０２に遷移する。
【００８２】
図８は、自動合成画面への画面遷移例（その２）を示す図である。図８は、上述の「所定条件１」を満たした場合に自動合成画面が表示される場合の画面遷移例を示している。なお、合成元キャラクタと同一のキャラクタは、「所定条件１」における特定の素材キャラクタであるものとする。
【００８３】
手動合成画面Ａ２００で、プレイヤは、合成元キャラクタとしてキャラクタＱ（Ｃ２００）を選択し、素材キャラクタとして、素材キャラクタＶ（Ｃ２０１）、素材キャラクタＱ（Ｃ２０２）及び素材キャラクタＹ（Ｃ２０３）を選択したとする。合成開始ボタンＢ２０が押下されると、合成元キャラクタＱ（Ｃ２００）に素材キャラクタＱ（Ｃ２０１）、素材キャラクタＸ（Ｃ２０２）及び素材キャラクタＹ（Ｃ２０３）が合成され、合成結果画面Ａ２０１が表示される。ここで、手動合成画面Ａ２００では、素材キャラクタの中に、合成元キャラクタＱと同一のキャラクタＱが含まれている。つまり、素材キャラクタの中に、特定の素材キャラクタが含まれている。そこで、合成結果画面Ａ２０１でボタンＢ２１が押下された場合、表示制御部１１２は、所定条件１を満たすと判定し、自動設定画面Ａ２０２を表示させる。
【００８４】
自動設定画面Ａ２０２の領域Ｗ２０２には、自動合成しないことを選択するボタンＢ２２、合成元キャラクタを、キャラクタＱと同一グループに属するキャラクタのうち、形態Ａのキャラクタとすることを選択するボタンＢ２３、形態Ｂのキャラクタとすることを選択するボタンＢ２４、
形態Ｃのキャラクタとすることを選択するボタンＢ２５が表示されている。プレイヤが、ボタンＢ２２〜Ｂ２５のボタンのうちいずれか１つを選択してボタンＢ２６を押下すると、自動合成の設定が完了する。つまり、図８によれば、図７のようにプレイヤが自ら自動設定画面を開く操作を行わなくても、自動的に自動設定画面を表示されることになる。
【００８５】
図９は、自動合成画面への画面遷移例（その３）を示す図である。図９は、上述の「所定条件６」を満たした場合に自動合成画面が表示される場合の画面遷移例を示している。
【００８６】
手動合成画面Ａ２００で、プレイヤは、合成元キャラクタとしてキャラクタＱ（Ｃ３００）を選択し、素材キャラクタとしてキャラクタＸ（Ｃ３０１）及びキャラクタＹ（Ｃ３０２）を選択したとする。手動合成画面Ａ２００には、手動合成の結果、合成元キャラクタＱ（Ｃ３００）は、キャラクタＲ（Ｃ３０３）に遷移（神化）することが表示されている。ボタンＢ３０が押下されると、画面Ａ３０１が表示され、キャラクタＱが神化したキャラクタＲの画像及びステータス等が表示される。
【００８７】
ここで、手動合成が行われたことで、合成元キャラクタＱがキャラクタＲに遷移した（つまり、合成元キャラクタが、合成元キャラクタと同一グループに属する他のキャラクタに遷移した）ことから、表示制御部１１２は、所定条件６を満たすと判定し、自動設定画面Ａ３０２を表示させる。自動設定画面Ａ３０２のボタンＢ３１〜Ｂ３５は、それぞれ、図８に示す自動設定画面Ａ２０２のボタンＢ２２〜Ｂ２６と同一であるため、説明は所略する。図９によれば、図７のようにプレイヤが自ら自動設定画面を開く操作を行わなくても、自動的に自動設定画面を表示されることになる。
【００８８】
＜まとめ＞
以上説明した実施形態によれば、ゲームサーバ１０は、プレイヤが行った手動合成において所定条件を満たす場合、自動設定画面をプレイヤの端末２０に表示させるようにした。より具体的には、ゲームサーバ１０は、自動設定画面を、プレイヤが自動合成の設定を行う／変更する可能性があると想定されるタイミングで端末２０に表示させることで、プレイヤが、自動合成に関する設定をスムーズに行えるように補助するようにした。これにより、プレイヤが合成に関する設定を行う手間を軽減することが可能になる。
【００８９】
以上説明した実施形態は、本発明の理解を容易にするためのものであり、本発明を限定して解釈するためのものではない。実施形態で説明したフローチャート、シーケンス、実施形態が備える各要素並びにその配置、材料、条件、形状及びサイズ等は、例示したものに限定されるわけではなく適宜変更することができる。
【００９０】
＜付記＞
＜付記１＞
ユーザが所有するゲームオブジェクトを記憶する記憶部と、
前記ユーザにより指定された合成元となる合成元ゲームオブジェクトと、該合成元ゲームオブジェクトと合成可能な素材ゲームオブジェクトとの第１合成を行う合成部と、
前記合成部により行われた第１合成において所定条件を満たす場合、合成元ゲームオブジェクトと合成可能な素材ゲームオブジェクトが前記ユーザに新たに付与されたときに、合成元ゲームオブジェクトと該新たに付与された素材ゲームオブジェクトとの第２合成に関する設定を行う設定画面を表示させる表示制御部と、
を有する情報処理装置。
【００９１】
付記１によれば、ユーザが合成に関する設定を行う手間を軽減させることを可能とする技術を提供することが可能になる。
【００９２】
＜付記２＞
前記表示制御部は、前記合成部により行われた第１合成において、素材ゲームオブジェクトに、合成元ゲームオブジェクトごとに設定される特定ゲームオブジェクトが含まれていた場合、前記設定画面を表示させる、
付記１に記載の情報処理装置。
【００９３】
付記２によれば、素材ゲームオブジェクトに、合成元ゲームオブジェクトごとに設定される特定ゲームオブジェクトが含まれていた場合に設定画面が表示されることから、ユーザが自ら設定画面を表示させる手間を削減することが可能になる。
【００９４】
＜付記３＞
前記表示制御部は、更に、前記特定ゲームオブジェクトが、前記ユーザがプレイ可能な特定のイベントで入手可能である場合、前記設定画面を表示させる、
付記２に記載の情報処理装置。
【００９５】
付記３によれば、特定ゲームオブジェクトが、ユーザがプレイ可能な特定のイベントで入手可能である場合に設定画面が表示されることから、ユーザが自ら設定画面を表示させる手間を削減することが可能になる。
【００９６】
＜付記４＞
前記表示制御部は、前記合成部により行われた第１合成において、合成元ゲームオブジェクトの複数のパラメータのうち合成により値が増加する特定パラメータの値が増加した場合、前記設定画面を表示させる、
付記１〜３のいずれか一項に記載の情報処理装置。
【００９７】
付記４によれば、第１合成の結果、合成元ゲームオブジェクトの特定パラメータの値が増加した場合に設定画面が表示されることから、ユーザが自ら設定画面を表示させる手間を削減することが可能になる。
【００９８】
＜付記５＞
前記表示制御部は、前記合成部により行われた第１合成において、合成元ゲームオブジェクトの複数のパラメータのうち合成により値が増加する特定パラメータを所定値にするまでに必要な素材ゲームオブジェクトの数が、前記記憶部において前記ゲームオブジェクトを格納可能な空き領域数よりも大きい場合、前記設定画面を表示させる、
付記１〜４のいずれか一項に記載の情報処理装置。
【００９９】
付記５によれば、ゲームオブジェクトを格納可能な空き領域数に応じて設定画面が表示されることから、ユーザが自ら設定画面を表示させる手間を削減することが可能になる。
【０１００】
＜付記６＞
前記表示制御部は、前記合成部により行われた第１合成において、合成元ゲームオブジェクトが、該合成元ゲームオブジェクトと同一グループに属する他のゲームオブジェクトに遷移した場合に、前記設定画面を表示させる、
付記１〜５のいずれか一項に記載の情報処理装置。
【０１０１】
付記６によれば、合成元ゲームオブジェクトが、合成元ゲームオブジェクトと同一グループに属する他のゲームオブジェクトに遷移した場合に設定画面が表示されることから、ユーザが自ら設定画面を表示させる手間を削減することが可能になる。
【０１０２】
＜付記７＞
前記表示制御部は、前記設定画面における合成元ゲームオブジェクトを、前記合成部により行われた合成における合成元ゲームオブジェクトのグループに属するゲームオブジェクトのうち、どのゲームオブジェクトにするかの選択を受け付ける画面を、前記設定画面に表示させる、
付記１〜６のいずれか一項に記載の情報処理装置。
【０１０３】
付記７によれは、ユーザは、合成元ゲームオブジェクトを自ら指定することが可能になる。
【０１０４】
＜付記８＞
前記表示制御部は、前記合成部により行われた第１合成における合成元ゲームオブジェクトのグループに属するいずれかのゲームオブジェクトが、前記設定画面において合成元ゲームオブジェクトとして既に設定されている場合、前記設定画面を表示させない、
付記１〜７のいずれか一項に記載の情報処理装置。
【０１０５】
付記８によれば、既に第２合成における合成元ゲームオブジェクトを設定済みであるにも関わらず、再度設定画面が表示されてしまうことを抑制することが可能になる。
【０１０６】
＜付記９＞
前記表示制御部は、過去に前記所定条件が満たされたために表示された前記設定画面において第２合成を行わないとの設定が行われた場合で、かつ、前記合成部により行われた合成における合成元ゲームオブジェクトが、該第２合成を行わないとの設定が行われたゲームオブジェクトのグループに属するゲームオブジェクトに含まれる場合、前記設定画面を表示させない、
付記１〜８のいずれか一項に記載の情報処理装置。
【０１０７】
付記９によれば、ユーザが過去に自動合成をしないと設定したにも関わらず、再度設定画面が表示されてしまうことを抑制することができる。
【０１０８】
＜付記１０＞
前記表示制御部は、前記合成部により行われた第１合成における合成元ゲームオブジェクトのグループに対し、前記設定画面において第２合成を行うことの設定又は第２合成を行わないことの設定が過去に行われていた場合、前記設定画面を表示させない、
付記１〜９のいずれか一項に記載の情報処理装置。
【０１０９】
付記１０によれば、既に第２合成における合成元ゲームオブジェクトを設定済みであるにも関わらず、再度設定画面が表示されてしまうことを抑制することが可能になる。
【０１１０】
＜付記１１＞
前記表示制御部は、前記ユーザが、所有するゲームオブジェクトの複数のパラメータのうち、合成により値が増加する特定パラメータの値を所定値に到達させたことがない場合、前記設定画面を表示させない、
付記１〜１０のいずれか一項に記載の情報処理装置。
【０１１１】
付記１１によれば、ユーザが合成を希望していないにも関わらず設定画面が表示されてしまうことを抑制することが可能になる。
【０１１２】
＜付記１２＞
情報処理装置が行う情報処理方法であって、
ユーザが所有するゲームオブジェクトを記憶部に記憶するステップと、
前記ユーザにより指定された合成元となる合成元ゲームオブジェクトと、該合成元ゲームオブジェクトと合成可能な素材ゲームオブジェクトとの第１合成を行うステップと、
前記第１合成を行うステップにより行われた第１合成において所定条件を満たす場合、合成元ゲームオブジェクトと合成可能な素材ゲームオブジェクトが前記ユーザに新たに付与されたときに、合成元ゲームオブジェクトと該新たに付与された素材ゲームオブジェクトとの第２合成に関する設定を行う設定画面を表示させるステップと、
を含む情報処理方法。
【０１１３】
付記１２によれば、ユーザが合成に関する設定を行う手間を軽減させることを可能とする技術を提供することが可能になる。
【０１１４】
＜付記１３＞
コンピュータに、
ユーザが所有するゲームオブジェクトを記憶部に記憶するステップと、
前記ユーザにより指定された合成元となる合成元ゲームオブジェクトと、該合成元ゲームオブジェクトと合成可能な素材ゲームオブジェクトとの第１合成を行うステップと、
前記第１合成を行うステップにより行われた第１合成において所定条件を満たす場合、合成元ゲームオブジェクトと合成可能な素材ゲームオブジェクトが前記ユーザに新たに付与されたときに、合成元ゲームオブジェクトと該新たに付与された素材ゲームオブジェクトとの第２合成に関する設定を行う設定画面を表示させるステップと、
を実行させるためのプログラム。
【０１１５】
付記１３によれば、ユーザが合成に関する設定を行う手間を軽減させることを可能とする技術を提供することが可能になる。
【符号の説明】
【０１１６】
１…ゲームシステム、１０…ゲームサーバ、１１…プロセッサ、１２…記憶装置、１３…通信ＩＦ、１４…入力デバイス、１５…出力デバイス、２０…端末、１００…記憶部、１００ａ…キャラクタ設定ＤＢ、１００ｂ…所有キャラクタ管理ＤＢ、１００ｃ…自動合成設定ＤＢ、１１０…ゲーム制御部、１１１…合成部、１１２…表示制御部、２００…記憶部、２０１…通信部、２０２…ＵＩ部、２０３…ゲーム制御部
【要約】
【課題】ユーザが合成に関する設定を行う手間を軽減させることを可能とする技術を提供すること。
【解決手段】ユーザが所有するゲームオブジェクトを記憶する記憶部と、前記ユーザにより指定された合成元となる合成元ゲームオブジェクトと、該合成元ゲームオブジェクトと合成可能な素材ゲームオブジェクトとの第１合成を行う合成部と、前記合成部により行われた第１合成において所定条件を満たす場合、合成元ゲームオブジェクトと合成可能な素材ゲームオブジェクトが前記ユーザに新たに付与されたときに、合成元ゲームオブジェクトと該新たに付与された素材ゲームオブジェクトとの第２合成に関する設定を行う設定画面を表示させる表示制御部と、を有する情報処理装置を提供する。
【選択図】図６【図１】
0006880440.tif 000002
【図２】
0006880440.tif 000003
【図３】
0006880440.tif 000004
【図４】
0006880440.tif 000005
【図５】
0006880440.tif 000006
【図６】
0006880440.tif 000007
【図７】
0006880440.tif 000008
【図８】
0006880440.tif 000009
【図９】
0006880440.tif 000010